(57)【要約】【課題】磁気記録再生装置から光ディスク記録再生装置へのダビング処理において、不要なシーンのダビングをカットする際に、記録させたくないシーンから記録させたいシーンが来るまでの間のサーチ時間の短縮を図ることができる機能を有する複合型記録再生装置を提供する。【解決手段】ＶＣＲからＤＶＤレコーダへのダビング中に、ＤＶＤに記録させたくないシーンが現れたときに、早送りキーが押下されると、ＶＣＲが早送り動作し、ＤＶＤレコーダは記録動作が一時停止し、ＤＶＤへの情報の記録を一時停止させる。一時停止された後、再生キーが押下されたときＶＣＲが再生動作し、ＤＶＤレコーダは記録動作を再開する。早送りキーが押下されなかったときは、ダビングが継続される。不要なシーンのダビングをカットする際に、記録させたくないシーンから記録させたいシーンが来るまでの間を早送りでサーチできる。【選択図】図３
2009093694.tif 000002
【特許請求の範囲】
【請求項１】
磁気テープに対して情報の記録／再生を行う磁気記録再生装置と、光ディスクに対して情報の記録／再生を行う光ディスク記録再生装置とを備えた複合型記録再生装置において、
前記磁気テープに記録されている情報を前記光ディスクに記録を行うため、前記磁気記録再生装置を再生動作させ、前記光ディスク記録再生装置を記録動作させる処理であるダビング処理が開始してから、早送りキーが押下されたか否かを判定する早送りキー押下判定手段と、
前記早送りキーが押下されたと判定されたとき、前記磁気記録再生装置を早送り動作させ、前記光ディスク記録再生装置の記録動作を一時停止させる光ディスク記録一時停止手段と、
前記光ディスク記録再生装置の記録動作が一時停止された後、再生キーが押下されたか否かを判定する再生キー押下判定手段と、
前記再生キーが押下されたと判定されたとき、前記磁気記録再生装置を再生動作させ、前記光ディスク記録再生装置の記録動作を再開させる記録再開手段と、を備えたことを特徴とする複合型記録再生装置。
【請求項２】
磁気テープに対して情報の記録／再生を行う磁気記録再生装置と、光ディスクに対して情報の記録／再生を行う光ディスク記録再生装置とを備えた複合型記録再生装置において、
前記磁気テープに記録されている情報を前記光ディスクに記録を行うため、前記磁気記録再生装置を再生動作させ、前記光ディスク記録再生装置を記録動作させる処理であるダビング処理が開始してから、早送りキーが押下されたか否かを判定する早送りキー押下判定手段と、
前記早送りキーが押下されたと判定されたとき、前記磁気記録再生装置を早送り動作させ、前記光ディスク記録再生装置の記録動作を一時停止させる光ディスク記録一時停止手段と、
前記光ディスク記録再生装置の記録動作が一時停止された後、再生キーが押下されたか否かを判定する再生キー押下判定手段と、
前記再生キーが押下されたと判定されたとき、前記再生キーが所定時間内に所定回押下されたか否かを判定する再生キー押下回数判定手段と、
前記再生キーが所定時間内に所定回押下されたと判定されたとき、前記磁気記録再生装置を再生動作させ、前記光ディスク記録再生装置の記録動作を再開させる記録再開手段と、を備えたことを特徴とする複合型記録再生装置。
【請求項３】
前記磁気記録再生装置が早送り動作し、前記光ディスク記録再生装置が記録一時停止しているとき、前記再生キーが所定時間内に所定回押下されなかったと判定されたとき、前記磁気記録再生装置が実行している早送り動作を停止させる早送り停止手段と、
前記早送り動作が停止した後、早戻しキーが押下されたとき、前記磁気記録再生装置を早戻し動作させる早戻し動作手段と、
前記早送り動作が停止した後、または前記早戻し動作しているときに、再生キーが押下されたことを検知したとき、前記磁気記録再生装置を再生動作させ、前記光ディスク記録再生装置の記録動作を再開させる記録再開手段と、を備えたことを特徴とする請求項２に記載の複合型記録再生装置。
【発明の詳細な説明】
【技術分野】
【０００１】
本発明は、磁気記録再生装置と光ディスク記録再生装置とを備えた複合型記録再生装置に関し、特に、磁気テープに記録された情報を光ディスクにダビングを行う際の処理に関する。
【背景技術】
【０００２】
従来から、磁気テープに対して映像音声情報を記録／再生するＶＣＲ（ビデオカセットレコーダ）やＶＴＲ（ビデオテープレコーダ）と言う名称で知られている磁気記録再生装置が普及している。このような磁気記録再生装置では、磁気テープに記録する記録方式として、ＶＨＳ方式（日本ビクター株式会社の商標）またはＳ−ＶＨＳ方式（日本ビクター株式会社の商標）が採用されている。Ｓ−ＶＨＳ方式は、ＶＨＳ方式による画質を高画質化して記録する方式の規格であり、記録信号の記録帯域をＶＨＳ方式の約１．６倍に拡大し、水平解像度４００本での記録を可能にしている記録方式である。
【０００３】
また、近年、磁気テープに代わる記録媒体として光ディスクであるＤＶＤ（デジタルバーサタイルディスク）が開発され、ＤＶＤに対して情報の記録／再生を行うＤＶＤレコーダなどの光ディスク記録再生装置が普及している。そして、磁気記録再生装置（ＶＣＲ等）と光ディスク記録再生装置（ＤＶＤレコーダ等）との複合型記録再生装置も普及している。
【０００４】
ところで、ＶＣＲとＤＶＤレコーダとから構成される複合型記録再生装置では、ＶＣＲからＤＶＤレコーダへのダビング処理を行う「ＶＣＲ→ＤＶＤ」ダビングモード、ＤＶＤレコーダからＶＣＲへのダビング処理を行う「ＤＶＤ→ＶＣＲ」ダビングモードの機能を備えている。
【０００５】
ここで、ＶＣＲとＤＶＤレコーダとから構成される複合型記録再生装置において、ＶＣＲからＤＶＤレコーダへのダビング処理について説明する。ダビング中の映像および音声は、この複合型記録再生装置に接続されたテレビジョン受像機にて出力されるので、ユーザはダビング中であっても視聴できるものとする。
【０００６】
ダビングモード設定画面から項目「ＶＣＲ→ＤＶＤ」がリモコンの操作により選択され決定されると、複合型記録再生装置は「ＶＣＲ→ＤＶＤ」のダビングモードに設定される。このようにして、複合型記録再生装置は「ＶＣＲ→ＤＶＤ」のダビングモードに設定された後、リモコンの操作によりダビング開始指示されると、ＶＣＲを再生動作させると共に、ＤＶＤレコーダを記録動作させる処理であるダビングを開始する。
【０００７】
そして、ダビングが行われている際中に、ＤＶＤに記録させたくないシーンがテレビジョン受像機に現れたときに、そのシーンを記録させないため、ＶＣＲは、そのまま再生動作させると共に、ＤＶＤレコーダは、記録動作が一時停止するように、リモコンの一時停止キー（操作部の一時停止キーでも可）の操作を行って、ＶＣＲの再生動作は、そのままで、ＤＶＤレコーダの記録動作を一時停止させる。この後、記録させたくないシーンが通り過ぎて、記録したいシーンが来ると、リモコンの一時停止キーを再び操作して、ＤＶＤレコーダの記録動作を再開するようにしている。
【特許文献１】特開２００５−１４９６３３号公報
【特許文献２】特開２００５−３１８１８５号公報
【特許文献３】特開平３−２９２６５５号公報
【発明の開示】
【発明が解決しようとする課題】
【０００８】
しかしながら、前述したような従来の複合型記録再生装置は、ＤＶＤに記録させたくないシーンから記録させたいシーンが来るまでの間、再生動作させているので、この間の再生時間が無駄になり、この結果、ＶＣＲからＤＶＤレコーダへのダビング処理に多くの時間を要すると言う課題があった。
【０００９】
なお、特許文献１の従来技術は、ＶＣＲで再生した番組をデジタルでダビング可能な記録再生装置であり、予めＶＣＲを早送り再生してインデックス信号を検出し、インデックス情報に基づいて表示されるダビング選択メニューによってダビング操作を行うものであり、ＶＣＲで再生した番組をデジタル記録部にダビングする際に、記録させたくないシーンから記録させたいシーンが来るまでの間のサーチ時間の短縮を図ることについては開示されていない。
【００１０】
特許文献２の従来技術は、ＤＶカムコーダからのＤＶＤレコーダへのダビングにおいて、ダビング中にＤＶシーンカットキーが操作されると、ＤＶＤへのダビングを一時停止することにより、不要なシーンのダビングをカットするようにしているが、不要なシーンのダビングをカットする際に、記録させたくないシーンから記録させたいシーンが来るまでの間のサーチ時間の短縮を図ることについては開示されていない。
【００１１】
特許文献３の従来技術は、再生される映像を外部接続されたＶＴＲに記録する記録再生装置であり、再生映像中のＣＭ区間を検出し、ＣＭ区間は早送り再生モードに切り換えると共に、外部接続されたＶＴＲの記録動作を一時停止するようにしているが、不要なシーンのダビングのカットの対象はＣＭだけであり、ＣＭ以外の不要なシーンのダビングをカットする際に、記録させたくないシーンから記録させたいシーンが来るまでの間のサーチ時間の短縮を図ることについては開示されていない。
【００１２】
本発明は、上記のような課題を解決するためになされたもので、磁気記録再生装置から光ディスク記録再生装置へのダビング処理において、不要なシーンのダビングをカットする際に、記録させたくないシーンから記録させたいシーンが来るまでの間のサーチ時間の短縮を図ることができる機能を有する複合型記録再生装置を提供することを目的とする。
【課題を解決するための手段】
【００１３】
上記目的を達成するために、請求項１の発明は、磁気テープに対して情報の記録／再生を行う磁気記録再生装置と、光ディスクに対して情報の記録／再生を行う光ディスク記録再生装置とを備えた複合型記録再生装置において、前記磁気テープに記録されている情報を前記光ディスクに記録を行うため、前記磁気記録再生装置を再生動作させ、前記光ディスク記録再生装置を記録動作させる処理であるダビング処理が開始してから、早送りキーが押下されたか否かを判定する早送りキー押下判定手段と、前記早送りキーが押下されたと判定されたとき、前記磁気記録再生装置を早送り動作させ、前記光ディスク記録再生装置の記録動作を一時停止させる光ディスク記録一時停止手段と、前記光ディスク記録再生装置の記録動作が一時停止された後、再生キーが押下されたか否かを判定する再生キー押下判定手段と、前記再生キーが押下されたと判定されたとき、前記磁気記録再生装置を再生動作させ、前記光ディスク記録再生装置の記録動作を再開させる記録再開手段とを備えたことを特徴とする複合型記録再生装置を提供する。
【００１４】
この構成においては、磁気テープに記録されている情報を光ディスクに記録を行うため、磁気記録再生装置を再生動作させ、光ディスク記録再生装置を記録動作させる処理であるダビング処理が開始してから、早送りキーが押下されると、磁気記録再生装置が早送り動作し、光ディスク記録再生装置の記録動作が一時停止する。磁気記録再生装置が早送り動作し、光ディスク記録再生装置の記録動作が一時停止した後、再生キーが押下されると、磁気記録再生装置が早送り動作から再生動作に移り、光ディスク記録再生装置は記録動作を再開する。
【００１５】
この構成によれば、磁気記録再生装置から光ディスク記録再生装置へのダビング処理において、不要なシーンのダビングをカットする際に、記録させたくないシーンから記録させたいシーンが来るまでの間を早送りでサーチできるので、記録させたくないシーンから記録させたいシーンが来るまでの間のサーチ時間の短縮を図ることができ、これにより、磁気記録再生装置から光ディスク記録再生装置へのダビング処理の時間が短縮でき、使い勝手が向上する。
【００１６】
請求項２の発明は、磁気テープに対して情報の記録／再生を行う磁気記録再生装置と、光ディスクに対して情報の記録／再生を行う光ディスク記録再生装置とを備えた複合型記録再生装置において、前記磁気テープに記録されている情報を前記光ディスクに記録を行うため、前記磁気記録再生装置を再生動作させ、前記光ディスク記録再生装置を記録動作させる処理であるダビング処理が開始してから、早送りキーが押下されたか否かを判定する早送りキー押下判定手段と、前記早送りキーが押下されたと判定されたとき、前記磁気記録再生装置を早送り動作させ、前記光ディスク記録再生装置の記録動作を一時停止させる光ディスク記録一時停止手段と、前記光ディスク記録再生装置の記録動作が一時停止された後、再生キーが押下されたか否かを判定する再生キー押下判定手段と、前記再生キーが押下されたと判定されたとき、前記再生キーが所定時間内に所定回押下されたか否かを判定する再生キー押下回数判定手段と、前記再生キーが所定時間内に所定回押下されたと判定されたとき、前記磁気記録再生装置を再生動作させ、前記光ディスク記録再生装置の記録動作を再開させる記録再開手段とを備えたことを特徴とする複合型記録再生装置を提供する。
【００１７】
この構成においては、磁気テープに記録されている情報を光ディスクに記録を行うため、磁気記録再生装置を再生動作させ、光ディスク記録再生装置を記録動作させる処理であるダビング処理が開始してから、早送りキーが押下されると、磁気記録再生装置が早送り動作し、光ディスク記録再生装置の記録動作が一時停止する。光ディスク記録再生装置の記録動作が一時停止した後、再生キーが押下されると、磁気記録再生装置が再生動作し、光ディスク記録再生装置は記録動作を再開する。磁気記録再生装置が早送り動作し、光ディスク記録再生装置の記録動作が一時停止された後、再生キーが押下されたとき、再生キーが所定時間内に所定回押下されたか否かが判定される。再生キーが所定時間内に所定回押下されたと判定されたとき、磁気記録再生装置が早送り動作から再生動作に移り、光ディスク記録再生装置は記録動作を再開する。
【００１８】
この構成によれば、磁気記録再生装置から光ディスク記録再生装置へのダビング処理において、不要なシーンのダビングをカットする際に、記録させたくないシーンから記録させたいシーンが来るまでの間を早送りでサーチできるので、記録させたくないシーンから記録させたいシーンが来るまでの間のサーチ時間の短縮を図ることができ、これにより、磁気記録再生装置から光ディスク記録再生装置へのダビング処理の時間が短縮でき、使い勝手が向上する。
【００１９】
また、磁気記録再生装置が早送り動作し、光ディスク記録再生装置が記録一時停止しているとき、再生キーが押下されたとき、再生キーが所定時間内に所定回押下されたと判定されてから、光ディスク記録再生装置の記録動作を再開するようにしたので、磁気テープの早送りによるサーチにてダビングしたいシーンを行き過ぎたりしたとき、早戻しさせる操作を入れることが可能になり、これにより、ダビングしたいシーンを取り逃がすようなことがなくなり、使い勝手が向上する。
【００２０】
請求項３の発明では、請求項２の発明において、前記磁気記録再生装置が早送り動作し、前記光ディスク記録再生装置が記録一時停止しているとき、前記再生キーが所定時間内に所定回押下されなかったと判定されたとき、前記磁気記録再生装置が実行している早送り動作を停止させる早送り停止手段と、前記早送り動作が停止した後、早戻しキーが押下されたとき、前記磁気記録再生装置を早戻し動作させる早戻し動作手段と、前記早送り動作が停止した後、または前記早戻し動作しているときに、再生キーが押下されたことを検知したとき、前記磁気記録再生装置を再生動作させ、前記光ディスク記録再生装置の記録動作を再開させる記録再開手段とを備えたことを特徴とする。
【００２１】
この構成においては、磁気記録再生装置が早送り動作し、光ディスク記録再生装置が記録一時停止しているとき、再生キーが所定時間内に所定回押下されなかったとき（１回押下されたとき）、磁気記録再生装置は早送り動作が停止し、この後、早戻しキーが押下されたとき、磁気記録再生装置は早戻し動作する。磁気記録再生装置は、早送り動作が停止した後、または早戻し動作しているときに、再生キーが押下されると、磁気記録再生装置は再生動作し、光ディスク記録再生装置は記録動作を再開する。
【００２２】
この構成によれば、磁気テープの早送りによるサーチにてダビングしたいシーンを行き過ぎたりしたとき、早戻しキーを押下すると、磁気テープを早戻しさせることができ、これにより、ダビングしたいシーンまで早く戻すことができ、この後の再生キーの押下により、ダビングを直ぐに始めることができ、使い勝手が向上する。
【発明の効果】
【００２３】
以上のように本発明によれば、磁気記録再生装置から光ディスク記録再生装置へのダビング処理において、不要なシーンのダビングをカットする際に、記録させたくないシーンから記録させたいシーンが来るまでの間を早送りでサーチできるので、記録させたくないシーンから記録させたいシーンが来るまでの間のサーチ時間の短縮を図ることができ、これにより、磁気記録再生装置から光ディスク記録再生装置へのダビング処理の時間が短縮でき、使い勝手が向上する。
【００２４】
また、磁気記録再生装置が早送り動作し、光ディスク記録再生装置の記録動作が一時停止された後、再生キーが押下されたとき、再生キーが所定時間内に所定回押下されたと判定されてから、光ディスク記録再生装置の記録動作を再開するようにしたので、磁気テープの早送りによるサーチにてダビングしたいシーンを行き過ぎたりしたとき、早戻しさせる操作を入れることが可能になり、これにより、ダビングしたいシーンを取り逃がすようなことがなくなり、使い勝手が向上する。
【発明を実施するための最良の形態】
【００２５】
以下、添付図面を参照しつつ、本発明の実施の形態について説明する。図１は、本発明の第１，第２の実施形態に係る複合型記録再生装置の構成を示すブロック図である。この複合型記録再生装置Ａは、磁気記録再生装置としてのＶＣＲ（ビデオカセットレコーダ）１と、光ディスク記録再生装置としてのＤＶＤ（デジタルバーサタイルディスク）レコーダ２とを備えている。光ディスク記録再生装置としてはＢＤ（ブルーレイディスク）レコーダであっても良い。
【００２６】
ＶＣＲ１は、磁気テープ（ビデオテープ）１１と、再生／記録／早送り／巻戻し／停止／一時停止などに対して磁気テープ１１を走行させたり停止させたりする磁気テープ駆動機構１２と、磁気テープ１１に対して映像音声情報をＶＨＳ方式やＳ−ＶＨＳ方式（日本ビクター株式会社の商標）により記録したり磁気テープ１１に記録された映像音声情報を再生したりする磁気テープ記録再生部１３と、このＶＣＲ１に接続されダビング先のＤＶＤレコーダ２に磁気テープ記録再生部１３から再生されたアナログの映像音声信号を送信したりＤＶＤレコーダ２からのアナログの映像音声信号を受信したりする送受信回路１４とを備えている。
【００２７】
ＤＶＤレコーダ２は、挿入されたＤＶＤ２１に対して映像音声情報を記録したりＤＶＤ２１から映像音声情報を再生したりするディスク記録再生部２２と、ＶＣＲ１からＤＶＤレコーダ２へのダビング時にＶＣＲ１の送受信回路１４からのアナログ映像音声信号を受信したり、ＤＶＤレコーダ２からＶＣＲ１へのダビング時に送受信回路１４にアナログ映像音声信号を送信したりする送受信回路２３と、送受信回路２３からのアナログ映像音声信号をデジタル映像音声信号に変換してデジタル映像音声信号をディスク記録再生部２２に与えるＡ／Ｄ変換回路２４と、ディスク記録再生部２２からのデジタル映像音声信号をアナログ映像音声信号に変換して送受信回路２３に与えるＤ／Ａ変換回路２５とを備えている。
【００２８】
また、この複合型記録再生装置Ａは、装置全体を制御するシステムコントローラ３と、ＶＣＲ１またはＤＶＤレコーダ２に対する基本的な操作を行わせるための複数のキーを有する本体側の操作部４と、リモコン（リモートコントローラ）６からの赤外光の指令信号を受光して電気信号に変換された指令信号をシステムコントローラ３に入力する受光部５と、磁気テープ記録再生部１３またはディスク記録再生部２２からの再生映像音声信号を処理して表示用の映像音声信号に変換してテレビジョン受像機８に供給する映像音声出力部７とを備えている。
【００２９】
システムコントローラ３は、第１の実施形態の特徴として、磁気テープ１１に記録されている情報をＤＶＤ２１に記録を行うため、ＶＣＲ１を再生動作させ、ＤＶＤレコーダ２を記録動作させる処理であるダビング処理が開始してから、操作部４またはリモコン６の早送りキーが押下されたか否かを判定する早送りキー押下判定手段と、前記早送りキーが押下されたと判定されたとき、ＶＣＲ１を早送り動作させ、ＤＶＤレコーダ２の記録動作を一時停止させる光ディスク記録一時停止手段と、ＶＣＲ１が早送り動作し、ＤＶＤレコーダ２の記録動作が一時停止された後、操作部４またはリモコン６の再生キーが押下されたか否かを判定する再生キー押下判定手段と、前記再生キーが押下されたと判定されたとき、ＶＣＲ１を再生動作させ、ＤＶＤレコーダ２の記録動作を再開させる記録再開手段とを備えている。
【００３０】
また、システムコントローラ３は、第２の実施形態の特徴として、磁気テープ１１に記録されている情報をＤＶＤ２１に記録を行うため、ＶＣＲ１を再生動作させ、ＤＶＤレコーダ２を記録動作させる処理であるダビング処理が開始してから、操作部４またはリモコン６の早送りキーが押下されたか否かを判定する早送りキー押下判定手段と、前記早送りキーが押下されたと判定されたとき、ＶＣＲ１を早送り動作させ、ＤＶＤレコーダ２の記録動作を一時停止させる光ディスク記録一時停止手段と、ＶＣＲ１が早送り動作し、ＤＶＤレコーダ２の記録動作が一時停止された後、操作部４またはリモコン６の再生キーが押下されたか否かを判定する再生キー押下判定手段と、前記再生キーが押下されたと判定されたとき、前記再生キーが所定時間（例えば２秒）内に所定回（例えば２回）押下されたか否かを判定する再生キー押下回数判定手段と、前記再生キーが所定時間内に所定回押下されたと判定されたとき、ＶＣＲ１１を再生動作させ、ＤＶＤレコーダ２の記録動作を再開させる記録再開手段と、前記再生キーが所定時間内に所定回押下されなかったと判定されたとき、ＶＣＲ１が実行している早送り動作を停止させる早送り停止手段と、前記早送り動作が停止した後、操作部４またはリモコン６の早戻しキーが押下されたとき、ＶＣＲ１を早戻し動作させる早戻し動作手段と、前記早送り動作が停止した後、または前記早戻し動作しているときに、再生キーが押下されたことを検知したとき、ＶＣＲ１を再生動作させ、ＤＶＤレコーダ２の記録動作を再開させる記録再開手段とを備えている。
【００３１】
図２は図１に示すリモコンのキー配置の一例を示す図である。図２において、リモコン６の操作パネル２００には、ＴＶ電源キー２１１、入力切換キー２１２、レコーダ電源キー２１３、音量キー２１４、複数の数字キー２１５、ＤＶＤモード切換キー２１６、ＶＣＲモード切換キー２１８、再生リストキー２１９、機能表示キー２２０、上方向きー２２１、下方向キー２２２、左方向キー２２３、右方向キー２２４、決定キー２２５、記録キー２２６、スキップキー２２７、一時停止キー２２８、早戻しキー２２９、停止キー２３０、再生キー２３１、早送りキー２３２などが配置されている。なお、ここでのキーの配置および個数は一例であるので、これに限ることはない。
【００３２】
図３は第１の実施形態におけるダビング処理を説明するためのフローチャートである。このフローチャートおよび図１〜図２を参照して第１の実施形態におけるダビング処理について説明する。ここでは、ダビング処理に関する操作は、リモコン６により行うものとして説明するが、操作部４により行っても良い。
【００３３】
先ず、ユーザは、セットアップ画面をテレビジョン受像機８に表示させるため、リモコン６の機能表示キー２２０を押下すると、システムコントローラ３は、セットアップ画面表示指示がされたことを検知し、セットアップ画面信号をテレビジョン受像機８に供給することにより、セットアップ画面をテレビジョン受像機８に表示させる。そして、ユーザは、そのセットアップ画面のダビングモードの項目をリモコン６の操作により選択し決定すると、システムコントローラ３は、ダビングモード設定画面をテレビジョン受像機８に表示させる。
【００３４】
そのダビングモード設定画面から項目「ＶＣＲ→ＤＶＤ」がリモコン６の操作により選択され決定されると、システムコントローラ３は、「ＶＣＲ→ＤＶＤ」のダビングモードに設定される。このようにして「ＶＣＲ→ＤＶＤ」のダビングモードに設定された後、リモコン６の操作によりダビング開始指示されると（ステップＳ１）、ＶＣＲ１を再生動作させると共に、ＤＶＤレコーダ２を記録動作させる処理であるダビングを開始させる（ステップＳ２）。
【００３５】
このようにしてダビングが行われている際中に、システムコントローラ３の早送りキー押下判定手段は、リモコン６の早送りキー２３２が押下されたか否かを判定する（ステップＳ３）。そして、ダビングが行われている際中に、ＤＶＤ２１に記録させたくないシーンが現れたときに、そのシーンを早送りするため、リモコン６の早送りキー２３２が押下されると、システムコントローラ３の早送りキー押下判定手段は、早送りキー２３２が押下されたことを検知し、システムコントローラ３の光ディスク記録一時停止手段は、ＶＣＲ１を早送り動作させ、ＤＶＤレコーダ２の記録動作を一時停止させることにより、ＤＶＤ２１への情報の記録を一時停止させる（ステップＳ４）。
【００３６】
ＤＶＤレコーダ２の記録動作が一時停止された後、システムコントローラ３の再生キー押下判定手段は、再生キー２３１が押下されたか否かを判定する（ステップＳ５）。前記再生キー２３１が押下されたと判定されたとき、システムコントローラ３の記録再開手段は、ＶＣＲ１を早送り動作から再生動作させ、ＤＶＤレコーダ２の記録動作を再開させる（ステップＳ６）。この後は、ステップＳ３の処理に戻り、同様な処理を行い、早送りキー２３２が押下されなかったとき、ダビングが継続され（ステップＳ７）、システムコントローラ３は、リモコン６の停止キー２３０の押下、または磁気テープ１１の再生終了を検知したとき、ＶＣＲ１の再生動作を停止させると共に、ＤＶＤレコーダ２の記録動作を停止させ、ダビングを終了させる（ステップＳ８）。
【００３７】
この第１の実施形態によれば、ＶＣＲ１からＤＶＤレコーダ２へのダビング処理において、不要なシーンのダビングをカットする際に、記録させたくないシーンから記録させたいシーンが来るまでの間を早送りでサーチできるので、記録させたくないシーンから記録させたいシーンが来るまでの間のサーチ時間の短縮を図ることができ、これにより、ＶＣＲ１からＤＶＤレコーダ２へのダビング処理の時間が短縮でき、使い勝手が向上する。
【００３８】
図４は第２の実施形態におけるダビング処理を説明するためのフローチャートである。このフローチャートおよび図１〜図２を参照して第２の実施形態におけるダビング処理について説明する。ここでは、ダビング処理に関する操作は、リモコン６により行うものとして説明するが、操作部４により行っても良い。
【００３９】
先ず、ユーザは、セットアップ画面をテレビジョン受像機８に表示させるため、リモコン６の機能表示キー２２０を押下すると、システムコントローラ３は、セットアップ画面表示指示がされたことを検知し、セットアップ画面信号をテレビジョン受像機８に供給することにより、セットアップ画面をテレビジョン受像機８に表示させる。そして、ユーザは、そのセットアップ画面のダビングモードの項目をリモコン６の操作により選択し決定すると、システムコントローラ３は、ダビングモード設定画面をテレビジョン受像機８に表示させる。
【００４０】
そのダビングモード設定画面から項目「ＶＣＲ→ＤＶＤ」がリモコン６の操作により選択され決定されると、システムコントローラ３は、「ＶＣＲ→ＤＶＤ」のダビングモードに設定される。このようにして「ＶＣＲ→ＤＶＤ」のダビングモードに設定された後、リモコン６の操作によりダビング開始指示されると（ステップＮ１）、ＶＣＲ１を再生動作させると共に、ＤＶＤレコーダ２を記録動作させる処理であるダビングを開始させる（ステップＮ２）。
【００４１】
このようにしてダビングが行われている際中に、システムコントローラ３の早送りキー押下判定手段は、リモコン６の早送りキー２３２が押下されたか否かを判定する（ステップＮ３）。そして、ダビングが行われている際中に、ＤＶＤ２１に記録させたくないシーンが現れたときに、そのシーンを早送りするため、リモコン６の早送りキー２３２が押下されると、システムコントローラ３の早送りキー押下判定手段は、早送りキー２３２が押下されたことを検知し、システムコントローラ３の光ディスク記録一時停止手段は、ＶＣＲ１を早送り動作させ、ＤＶＤレコーダ２の記録動作を一時停止させることにより、ＤＶＤ２１への情報の記録を一時停止させる（ステップＮ４）。
【００４２】
ＤＶＤレコーダ２の記録動作が一時停止された後、システムコントローラ３の再生キー押下判定手段は、再生キー２３１が押下されたか否かを判定する（ステップＮ５）。再生キー２３１が押下されたと判定されたとき、システムコントローラ３の再生キー押下回数判定手段は、再生キー２３１が所定時間（例えば２秒）内に２回押下されたか否かを判定する（ステップＮ６）。
【００４３】
再生キー２３１が所定時間内に２回押下されたと判定されたとき、システムコントローラ３の記録再開手段は、ＶＣＲ１を早送り動作から再生動作させ、ＤＶＤレコーダ２の記録動作を再開させる（ステップＮ７）。再生キー２３１を所定時間内に２回押下させるのは、磁気テープ１１の早送りによるサーチにてダビングしたいシーンを行き過ぎたりした場合に、再生キー２３１を押下すると、前述した第１の実施形態のように、ＤＶＤレコーダ２が直ぐに記録動作を再開するのを防止するために、再生キー２３１を所定時間（例えば２秒）内に２回押下させたときにのみ、ＤＶＤレコーダ２の記録動作を再開するようにしている。
【００４４】
再生キー２３１が所定時間（例えば２秒）内に２回押下されなかったと判定されたときには（１回しか押下されなかったときには）、システムコントローラ３の早送り停止手段は、ＶＣＲ１１が実行している早送り動作を停止させる（ステップＮ８）。
【００４５】
前記早送り動作が停止した後、システムコントローラ３の早戻し動作手段は、早戻しキー２２９が押下されたとき、ＶＣＲ１を早戻し動作させる。早戻しキー２２９は、磁気テープ１１の早送りによるサーチにてダビングしたいシーンを行き過ぎたりした場合に、そのダビングしたいシーンまで磁気テープ１１を早戻しさせるために押下される。
【００４６】
前記早送り動作が停止した後、システムコントローラ３の記録再開手段は、再生キー２３１が押下されたことを検知したとき（ステップＮ９）、ＶＣＲ１１を再生動作させ、ＤＶＤレコーダ２の記録動作を再開させる（ステップＮ７）。これにより、磁気テープ１１からＤＶＤ２１への情報のダビングが再開される。
【００４７】
また、ＶＣＲ１１が早送り動作が停止しているときに（ステップＮ８）、ユーザが早戻しキー２２９を押下すると、システムコントローラ３の早戻し動作手段は、早戻しキー２２９が押下されたことを検知し（ステップＮ１０）、これにより、ＶＣＲ１を早戻し動作させる（ステップＮ１１）。早戻し動作させているときに、記録したいシーンまで戻ったとき、ユーザが再生キー２３１を押下すると、システムコントローラ３の記録再開手段は、再生キー２３１が押下されたことを検知し（ステップＮ９）、ＶＣＲ１を早戻し動作から再生動作させ、ＤＶＤレコーダ１の記録動作を再開させる（ステップＮ７）。
【００４８】
この後は、ステップＮ３の処理に戻り、同様な処理を行い、早送りキー２３２が押下されなかったとき、ダビングが継続され（ステップＮ１２）、システムコントローラ３は、リモコン６の停止キー２３０の押下、または磁気テープ１１の再生終了を検知したとき、ＶＣＲ１の再生動作を停止させると共に、ＤＶＤレコーダ２の記録動作を停止させ、ダビングを終了させる（ステップＮ１３）。
【００４９】
この第２の実施形態によれば、ＶＣＲ１からＤＶＤレコーダ２へのダビング処理において、不要なシーンのダビングをカットする際に、記録させたくないシーンから記録させたいシーンが来るまでの間を早送りでサーチできるので、記録させたくないシーンから記録させたいシーンが来るまでの間のサーチ時間の短縮を図ることができ、これにより、ＶＣＲ１からＤＶＤレコーダ２へのダビング処理の時間が短縮でき、使い勝手が向上する。
【００５０】
また、ＶＣＲ１が早送り動作し、ＤＶＤレコーダ２が一時停止しているとき、再生キー２３１が押下されたとき、再生キー２３１が所定時間内に所定回押下されたと判定されてから、ＤＶＤレコーダ２の記録動作を再開するようにしたので、磁気テープ１１の早送りによるサーチにてダビングしたいシーンを行き過ぎたりしたとき、早戻しキー２２９を押下すると、磁気テープ１１を早戻しさせることができ、これにより、ダビングしたいシーンまで早く戻すことができ、この後の再生キー２３１の押下により、ダビングを直ぐに始めることができ、使い勝手が向上する。
【産業上の利用可能性】
【００５１】
本発明は、ＶＣＲなどの磁気記録再生装置とＤＶＤレコーダなどの光ディスク記録再生装置との複合型記録再生装置のダビング機能に利用可能である。
【図面の簡単な説明】
【００５２】
【図１】本発明の第１，第２の実施形態に係る複合型記録再生装置の構成を示すブロック図である。
【図２】図１に示すリモコンのキー配置の一例を示す図である。
【図３】第１の実施形態におけるダビング処理を説明するためのフローチャートである。
【図４】第２の実施形態におけるダビング処理を説明するためのフローチャートである。
【符号の説明】
【００５３】
Ａ    複合型記録再生装置
１    ＶＣＲ（磁気記録再生装置）
２    ＤＶＤレコーダ（光ディスク記録再生装置）
３    システムコントローラ（早送りキー押下判定手段、光ディスク記録一時停止手段、再生キー押下判定手段、記録再開手段、再生キー押下回数判定手段、早戻し動作手段）
１１    磁気テープ
２１    ＤＶＤ（光ディスク）
２２９    早戻しキー
２３１    再生キー
２３２    早送りキー
【図１】
2009093694.tif 000003
【図２】
2009093694.tif 000004
【図３】
2009093694.tif 000005
【図４】
2009093694.tif 000006